(57)【要約】【課題】  オペレータが、画面上に表示された顔の画像におけるプリント範囲の位置を容易に調整できる画像処理装置を提供する。【解決手段】  画像処理装置１０は、画像データに基づいて顔の画像を表示するための画像表示部１３と、画像表示部１３に表示された顔の画像の所定の２箇所の位置を画面上で特定して入力するための情報入力部１４と、情報入力部１４で入力された２箇所の位置を結ぶ垂直補助線２２と前記顔の画像のプリント範囲を示す有効画像枠２１とをそれぞれ画面上に表示させ、且つユーザーの操作に基づいて有効画像枠２１及び垂直補助線２２の位置を移動させる画像処理制御部１１とを備える。【選択図】  図１
2006246285.tif 000002
【特許請求の範囲】
【請求項１】
画像データに基づいて顔の画像を表示するための画像表示手段と、
前記画像表示手段に表示された顔の画像の所定の２箇所の位置を画面上で特定して入力するための位置特定入力手段と、
前記位置特定入力手段で入力された２箇所の位置に基づいて特定される前記顔の画像のプリント範囲を示す有効画像枠と、該２箇所の位置を結ぶ補助線とをそれぞれ画面上に表示させ、且つユーザーの操作に基づいて該有効画像枠及び補助線の位置を移動させる画像処理制御手段とを備えていることを特徴とする画像処理装置。
【請求項２】
請求項１に記載された画像処理装置において、
前記画像処理制御手段は、前記位置特定入力手段で入力された２箇所の位置を水平方向にそれぞれ通る水平補助線を画面上に表示させる機能をさらに備えていることを特徴とする画像処理装置。
【請求項３】
請求項１又は２に記載された画像処理装置において、
前記位置特定入力部で特定して入力される２箇所の位置のうち一方が頭の頂部の位置で、且つ他方が顎の先端部の位置であることを特徴とする画像処理装置。
【請求項４】
請求項１乃至３のうち何れか１項に記載された画像処理装置において、
前記画像処理制御手段は、前記位置特定入力部で入力された２箇所の位置に基づいて、顔の画像を傾斜させるための画像データ処理を行って、その処理後の画像データに基づく画像を前記画像表示部に表示させる機能をさらに備えていることを特徴とする画像処理装置。
【請求項５】
請求項１乃至４のうち何れか１項に記載された画像処理装置において、
前記位置特定入力手段は、前記特定して入力された所定の２箇所の位置のうち少なくとも一方の位置を再設定できるように構成されていることを特徴とする画像処理装置。
【請求項６】
画像データに基づいて顔の画像を表示するための画像表示手段と、前記画像表示手段に表示された顔の画像の所定の２箇所の位置を画面上で特定して入力するための位置特定入力手段と、を備えた画像処理装置の制御方法であって、
前記位置特定入力手段で入力された２箇所の位置に基づいて特定される前記顔の画像のプリント範囲を示す有効画像枠と、該２箇所の位置を結ぶ補助線とをそれぞれ画面上に表示させ、且つユーザーの操作に基づいて該有効画像枠及び補助線の位置を移動させる、画像処理装置の制御方法。
【発明の詳細な説明】
【技術分野】
【０００１】
本発明は、画面上に表示された顔の画像におけるプリント範囲の位置を設定するための画像処理装置及びその制御方法に関する。
【背景技術】
【０００２】
従来より、パスポートや運転免許証などを作成するために証明写真が必要となる場合がある。そして、そのような証明写真を作成する装置に関する技術が種々提案されている。
【０００３】
例えば、特許文献１には、証明写真の処理装置において証明写真をプリントする際に、選択された証明写真のサイズに人物画像情報を収めるために、必要に応じて標準の大きさの顔となる標準モードでの証明写真のプリントと、小さい顔となる変更モードでの証明写真のプリントとを選択できるようにする技術が開示されている。そして、これによれば、顔のバランスがとれた証明写真を容易にプリントすることができる。
【特許文献１】特開２００１−１３６４６９号公報
【発明の開示】
【発明が解決しようとする課題】
【０００４】
ところで、通常、人物の顔を正面から撮影したときには、鼻筋を通るラインを証明写真の中央位置としてレイアウトするのが好ましいが、未熟なオペレータが操作した場合には、きちんと鼻筋が証明写真の中央位置にレイアウトされない場合がある。このような場合、画面上に表示された顔の画像を見ながらの手動操作によってそのレイアウトがバランス良くなるように修正することは可能であるが、プリント範囲を示す有効画像枠の位置をどの程度移動させればよいかは、オペレータが顔の画像と有効画像枠との間にある左右の空間量から目分量で判断しなければならず、またその操作は微妙な調整を要するものであるため、オペレータにとって煩わしい作業であった。
【０００５】
また、例えば、写真の人物が左右非対称の髪型などをしている場合には、鼻筋を通るラインを証明写真の中心位置としてレイアウトしていても、証明写真の見た目のバランスが悪くなることがある。このような場合には、単純に人物の鼻筋を通るラインを証明写真の中央に位置付けてレイアウトしただけでは足りず、見映え向上のためにさらなる修正作業が必要であるが、顔の画像に対して有効画像枠を移動させる際の基準となるものがなく、オペレータの技量によってその仕上がりにバラツキが生じてしまい、全ての顧客にとって必ずしも満足のいく仕上がりの写真を提供できないおそれがある。
【０００６】
本発明は、かかる点に鑑みてなされたものであり、その目的とするところは、オペレータが、画面上に表示された顔の画像におけるプリント範囲の位置を容易に修正できるようにすることにある。
【課題を解決するための手段】
【０００７】
前記目的を達成するため、本発明では、証明写真におけるプリント範囲の位置を調整する際の基準となる補助線を画面上に表示するようにした。
【０００８】
すなわち、本発明の画像処理装置は、画像データに基づいて顔の画像を表示するための画像表示手段と、
前記画像表示手段に表示された顔の画像の所定の２箇所の位置を画面上で特定して入力するための位置特定入力手段と、
前記位置特定入力手段で入力された２箇所の位置に基づいて特定される前記顔の画像のプリント範囲を示す有効画像枠と、該２箇所の位置を結ぶ補助線とをそれぞれ画面上に表示させ、且つユーザーの操作に基づいて該有効画像枠及び補助線の位置を移動させる画像処理制御手段とを備える。
【０００９】
このような構成によれば、顔の画像の所定の２箇所の位置を画面上で特定して入力すると、その２箇所の位置を結ぶ補助線と顔の画像のプリント範囲を示す有効画像枠とがそれぞれ画面上に表示され、且つユーザーの操作に基づいて該有効画像枠及び補助線の位置が移動される。
【００１０】
また、本発明では、前記画像処理制御手段は、前記位置特定入力手段で入力された２箇所の位置を水平方向にそれぞれ通る水平補助線を画面上に表示させる機能をさらに備えていてもよい。
【００１１】
このような構成によれば、有効画像枠を上下方向へ移動させる際の目安として水平補助線を利用することができ、オペレータにとって調整作業がやりやすくなる。
【００１２】
さらに、本発明では、前記位置特定入力部で特定して入力される２箇所の位置のうち一方が頭の頂部の位置で、且つ他方が顎の先端部の位置であることが好ましい。
【００１３】
また、本発明では、前記画像処理制御手段は、前記位置特定入力部で入力された２箇所の位置に基づいて、顔の画像を傾斜させるための画像データ処理を行って、その処理後の画像データに基づく画像を前記画像表示部に表示させる機能をさらに備えていてもよい。
【００１４】
このような構成によれば、顔の傾斜を修正した後に有効画像枠や補助線を設定表示することができ、その後の有効画像枠の位置調整をスムーズに行うことができる。
【００１５】
また、本発明では、前記位置特定入力手段は、前記特定して入力された所定の２箇所の位置のうち少なくとも一方の位置を再設定できるように構成されていることが好ましい。      
【００１６】
このような構成によれば、頭の頂部又は顎の先端部のうち一方の位置を再設定することができて修正作業の作業効率が向上する。
【００１７】
本発明の画像処理装置のように、画像データに基づいて顔の画像を表示するための画像表示手段と、前記画像表示手段に表示された顔の画像の所定の２箇所の位置を画面上で特定して入力するための位置特定入力手段と、を備えたものの本発明の制御方法は、
前記位置特定入力手段で入力された２箇所の位置に基づいて特定される前記顔の画像のプリント範囲を示す有効画像枠と、該２箇所の位置を結ぶ補助線とをそれぞれ画面上に表示させ、且つユーザーの操作に基づいて該有効画像枠及び補助線の位置を移動させるものである。
【発明の効果】
【００１８】
本発明によれば、顔の画像の所定の２箇所の位置を結ぶ補助線を画面上に表示するようにしたから、顔の画像におけるプリント範囲を示す有効画像枠の位置を調整する際に、この補助線を目安にして有効画像枠と顔の画像との位置関係を微調整することができ、熟練したオペレータでなくとも簡単に所望の位置に有効画像枠を移動させることができ、顔のバランスがとれた証明写真を作成することができて顧客満足度が高まる。
【発明を実施するための最良の形態】
【００１９】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２０】
図１は、本発明の実施形態に係る証明写真作成装置（画像処理装置）１０の構成を示す。この証明写真作成装置１０は、画像処理制御部１１と、各々、その画像処理制御部１１に接続された画像データ入力部１２、画像表示部１３、情報入力部（位置特定入力部）１４及びプリンタ部１５とを備えている。
【００２１】
前記画像処理制御部１１は、情報処理を行うＣＰＵ、メモリ及びハードディスクを含むコンピュータで構成されている。
【００２２】
前記画像データ入力部１２は、例えば、フレキシブルディスクに記憶された画像データを読み込むフレキシブルディスクドライブ、ＣＤ−ＲＯＭに記憶された画像データを読み込むＣＤ−ＲＯＭドライブ、ネガフィルムを画像データに変換して読み込むフィルムスキャナ、或いは、写真を画像データに変換して読み込むフラットベッドスキャナで構成されている。
【００２３】
前記画像表示部１３は、例えば、ＣＲＴや液晶表示装置等で構成されている。
【００２４】
前記情報入力部１４は、一般的には、キーボード及びマウスにより構成されるが、画像表示部１３に設けられたタッチパネルによって構成されていてもよい。
【００２５】
前記プリンタ部１５は、例えば、インクジェットプリンタやレーザープリンタで構成されている。
【００２６】
この証明写真作成装置１０は、店舗内に装置すべてを配設して、オペレータが画像処理操作をして証明写真をプリントし、それを顧客に渡すシステムを構成することができ、また、プリンタ部１５だけを店舗内に設けると共にその他を店頭に設けて、顧客が画像処理操作をして店舗内で証明写真をプリントし、それを顧客に渡すシステムを構成することもできる。
【００２７】
この証明写真作成装置１０は、画像データ入力部１２から顔の画像データを読み込み、その画像データに基づいて顔の画像を画像表示部１３に表示し、そして、情報入力部１４からの入力に基づいて、画像表示部１３に表示された顔の画像における顔の傾斜を修正したり証明写真サイズに応じて拡大或いは縮小する等の画像処理を行うとともに、顔の画像におけるプリント範囲を示す有効画像枠の位置を設定して、最後に、プリンタ部１５で証明写真をプリントするようになっている。
【００２８】
以下、この証明写真作成装置１０の画像処理の制御について図２に示すフローチャート図を用いて説明する。図２に示すように、まず、ステップＳ１０１で、画像データ入力部１２から顔の画像データを読み込み、続くステップＳ１０２に進む。
【００２９】
ステップＳ１０２では、図３に示すように、画像表示部１３にプリントフォーム選択のダイアログボックスＤ１を表示させ、情報入力部１４からの所望のプリントフォームの選択を求め、続くステップＳ１０３に進む。
【００３０】
ステップＳ１０３では、プリントフォームが選択されたか否かを判断し、「ＹＥＳ」の場合にはステップＳ１０４に進み（ここでは、証明写真タイプ１のプリントフォームを選択するものとする。）、「ＮＯ」の場合にはステップＳ１０３で待機する。
【００３１】
ステップＳ１０４では、図４に示すように、画像表示部１３にフォーム設定のダイアログボックスＤ２を表示させ、情報入力部１４からの所定の設定事項の入力を求め、続くステップＳ１０５に進む。
【００３２】
ステップＳ１０５では、所定の設定事項が入力されたか否かを判断し、「ＹＥＳ」の場合にはステップＳ１０６に進み（ここでは、設定事項として、名称、幅、高さ、詳細サイズである頭の上方部、顔の長さ、顎の下方部及び白縁のそれぞれの寸法を入力するものとする。）、「ＮＯ」の場合にはステップＳ１０５で待機する。
【００３３】
ステップＳ１０６では、図５に示すように、画像表示部１３に画像データ入力部１２から入力された画像データに基づいた顔の画像を示すダイアログボックスＤ３を表示させ、情報入力部１４からの頭の頂部の位置を画面上で特定した入力を求め、続くステップＳ１０７に進む。
【００３４】
ステップＳ１０７では、頭の頂部の位置が入力されたか否かを判断し、「ＹＥＳ」の場合にはステップＳ１０８に進み、「ＮＯ」の場合にはステップＳ１０７で待機する。
【００３５】
ステップＳ１０８では、図６に示すように、頭の頂部の位置に＋印が付された顔の画像を示すダイアログボックスＤ４を表示させ、情報入力部１４からの顎の先端部の位置を画面上で特定した入力を求め、続くステップＳ１０９に進む。
【００３６】
ステップＳ１０９では、顎の先端部の位置が入力されたか否かを判断し、「ＹＥＳ」の場合にはステップＳ１１０に進み、「ＮＯ」の場合にはステップＳ１０９で待機する。
【００３７】
ステップＳ１１０では、頭の頂部の位置から顎の先端部の位置に向かう方向が上から下に向かう方向に一致するか否かを判断し、「ＮＯ」の場合にはステップＳ１１１に進み、「ＹＥＳ」の場合にはステップＳ１１２に進む。
【００３８】
ステップＳ１１１では、頭の頂部の位置から顎の先端部の位置に向かう方向が上から下に向かう方向に一致するように画像データ処理を行い（顔の傾斜修正）、続くステップＳ１１２に進む。
【００３９】
ここで、顔の傾斜修正は、図７に示すように、頭の頂点の位置を（０，Ｙ１）及び顎の先端部の位置を（Ｘ２，０）をしたＸＹ座標系で画像を捉え、Ｙ軸の上から下に向かう方向に対し、頭の頂点の位置から顎の先端部の位置に向かう方向が反時計回り方向になす角度θを求め、画像中の一点を基準として全ての画素をθだけ時計回りに回転させるデータ処理を施すことにより行われる。これにより、ダイアログボックスＤ３に縦に顔の画像が表示された場合には、図８に示すように、画像データ処理により顔の傾斜修正がなされる。
【００４０】
ステップＳ１１２では、頭の頂部の位置から顎の先端部の位置までの長さが設定事項で入力された顔の長さに一致するように画像データ処理を行い（顔の拡大・縮小）、続くステップＳ１１３に進む。
【００４１】
ステップＳ１１３では、頭の頂部の位置から顎の先端部の位置に向かうラインが選択されたプリントフォームの幅方向の中心を通り、設定事項で入力された頭の上方部及び顎の下方部の寸法に一致するように画像データ処理を行い（顔の位置決め）、続くステップＳ１１４に進む。
【００４２】
ステップＳ１１４では、図９に示すように、処理後の画像データに基づいた顔の画像のプリント範囲を示す有効画像枠２１と、頭の頂点と顎の先端部とを結ぶ垂直補助線２２と、頭の頂部及び顎の先端部を水平方向にそれぞれ通る水平補助線２３，２３とを設定したダイアログボックスＤ５を画像表示部１３に表示させる。この垂直補助線２２及び水平補助線２３，２３により、顔の画像と有効画像枠２１との相対位置関係が容易に把握できるようになっている。
【００４３】
ここで、顔の画像の頭の頂点と顎の先端部とを選択した場合には、垂直補助線２２は鼻筋を通ることとなり、有効画像枠２１に対して顔の画像が鼻を中心にレイアウトされることとなる。
【００４４】
しかしながら、オペレータによる頭の頂点と顎の先端部との選択が適切になされていないと、きちんと垂直補助線２２が鼻筋を通っていないことがある。また、このようなレイアウトに自動設定した場合には、図９に示すように有効画像枠２１の左端から髪の毛がはみ出てしまい全体として見た目のバランスが悪くなることがある。そこで、以下のステップでは、枠移動カーソル２０を用いて有効画像枠２１を上下左右に移動させて見映えの良いレイアウトに変更するようにしている。
【００４５】
ステップＳ１１５では、情報入力部１４からのダイアログボックスＤ５中の枠移動カーソル２０に対する入力があったか否かを判断し、「ＹＥＳ」の場合にはステップＳ１１６に進み、「ＮＯ」の場合にはステップＳ１１７に進む。
【００４６】
ステップＳ１１６では、図１０に示すように、枠移動カーソル２０の上下左右の移動ボタンの入力に対応して有効画像枠２１を移動させ、所望の位置に有効画像枠２１をレイアウトして、続くステップＳ１１７に進む。
【００４７】
ステップＳ１１７では、情報入力部１４からのダイアログボックスＤ５中のプリントボタンＰに対する入力があったか否かを判断し、「ＹＥＳ」の場合にはステップＳ１１８に進み、「ＮＯ」の場合にはステップＳ１１５に戻る。
【００４８】
ステップＳ１１８では、プリンタ部１５に処理後の画像データに基づいた顔の画像の証明写真をプリントさせて処理を終了する。
【００４９】
なお、以上の制御において、プリントフォームの選択入力、設定事項入力、頭の頂部の位置及び顎の先端部の位置の入力は、それぞれ後段のステップにおいて所定の操作によって入力し直しができるようになっている。
【００５０】
例えば、プリントボタンＰからの入力を待つステップＳ１１７において、枠内の顔の位置を変更させたいような場合、所定操作を行うと画像表示部１３にフォーム設定のダイアログボックスＤ２が表示され、設定事項の入力をし直すことにより、ステップＳ１１２及びステップＳ１１３の画像データ処理が行われて、ステップＳ１１４を経て、画像表示部１３に修正後の顔の画像と、プリント範囲の有効画像枠２１と、垂直補助線２２及び水平補助線２３，２３とを示すダイアログボックスＤ５を表示させ、ステップＳ１１７に戻るようになっている。
【００５１】
また、頭の頂部の位置や顎の先端部の位置の少なくとも１つを入力し直すこともでき、この場合には、ステップＳ１１１の画像データ処理が行われた後、それ以降の各ステップが実行されるようになっている。
【００５２】
以上の制御は、コンピュータである画像処理制御部１１にインストールされたコンピュータプログラムの情報処理によって実行されるものである。
【００５３】
画像処理制御部１１へのこのようなコンピュータプログラムのインストールは、フレキシブルディスクやＣＤ−ＲＯＭ等のコンピュータ読み取り可能な記録媒体から行っても、また、オンラインでプログラムをダウンロードして行ってもよい。
【００５４】
以上のような構成の証明写真作成装置１０によれば、顔の画像の所定の２箇所の位置を結ぶ垂直補助線２２及び頭の頂部及び顎の先端部をそれぞれ水平方向に通る水平補助線２３，２３を画面上に表示するようにしたから、顔の画像におけるプリント範囲を示す有効画像枠２１の位置を修正する際に、垂直補助線２２や水平補助線２３を目安にして有効画像枠２１と顔の画像との位置関係を微調整することができ、熟練したオペレータでなくとも簡単に所望の位置に有効画像枠２１を移動させることができる。
【００５５】
なお、前記実施形態では、証明写真作成装置１０としたが、特にこれに限定されるものではなく、その他の画像処理装置であってもよい。
【産業上の利用可能性】
【００５６】
以上説明したように、本発明は、オペレータが、画面上に表示された顔の画像におけるプリント範囲の位置を容易に調整できるという実用性の高い効果が得られることから、きわめて有用で産業上の利用可能性は高い。
【図面の簡単な説明】
【００５７】
【図１】本実施形態に係る証明写真作成装置の構成を示すブロック図である。
【図２】証明写真作成装置の制御を示すフローチャート図である。
【図３】プリントフォーム選択のダイアログボックスを表示した画面の図である。
【図４】フォーム設定のダイアログボックスを表示した画面の図である。
【図５】画像データ入力部から入力された画像データに基づいた顔の画像を示すダイアログボックスを表示した画面の図である。
【図６】頭の頂部の位置に＋印が付された顔の画像を示すダイアログボックスを表示した画面の図である。
【図７】顔の傾斜修正の説明図である。
【図８】顔の画像の傾斜修正の説明図である。
【図９】処理後の画像データに基づいた顔の画像とプリント範囲の有効画像枠とを示すダイアログボックスを表示した画面の図である。
【図１０】有効画像枠の位置を修正した状態を示すダイアログボックスを表示した画面の図である。
【符号の説明】
【００５８】
１０    証明写真作成装置（画像処理装置）
１１    画像処理制御部
１２    画像データ入力部
１３    画像表示部
１４    情報入力部（位置特定入力部）
１５    プリンタ部
Ｄ１〜Ｄ５  ダイアログボックス
Ｐ    プリントボタン
【図１】
2006246285.tif 000003
【図２】
2006246285.tif 000004
【図３】
2006246285.tif 000005
【図４】
2006246285.tif 000006
【図５】
2006246285.tif 000007
【図６】
2006246285.tif 000008
【図７】
2006246285.tif 000009
【図８】
2006246285.tif 000010
【図９】
2006246285.tif 000011
【図１０】
2006246285.tif 000012